【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
複数端末にコンテンツを送信し、前記複数端末の各々から送信されたコンテンツの受信を行う端末の表示方法であって、
前記複数端末に前記端末から送信されたコンテンツと、前記複数端末の各々から送信されたコンテンツとを表示する第１チャットルームを前記端末の表示部に表示することと、
前記第１チャットルームが前記表示部に表示されている状態で、前記複数端末の各々のユーザのうち、少なくとも一人のユーザを前記端末によって選択することと、
前記選択された少なくとも一人のユーザの端末に送信されたコンテンツと、前記選択された少なくとも一人のユーザの端末から送信されたコンテンツとを表示する第２チャットルームを前記端末の表示部に表示することとを含む。
【請求項２】
請求項１に記載の表示方法であって、
前記選択することは、前記第１チャットルームに表示された複数のコンテンツのうち、少なくとも一つのコンテンツを前記端末によって選択し、前記選択されたコンテンツを送信した端末のユーザを選択する。
【請求項３】
請求項２に記載の表示方法であって、
前記選択されたコンテンツを前記第２チャットルームに表示することを含む。
【請求項４】
請求項１から請求項３のいずれか一項に記載の表示方法であって、
前記第１チャットルームと、前記第２チャットルームとは、設定された位置関係で前記表示部に表示される。
【請求項５】
請求項１から請求項４のいずれか一項に記載の表示方法であって、
前記第１チャットルームに表示されるコンテンツと、前記第２チャットルームに表示されるコンテンツとは異なる表示態様で表示される。
【請求項６】
請求項１から請求項５のいずれか一項に記載の表示方法であって、
前記第２チャットルームに表示されたコンテンツを、前記第１チャットルームに表示することを含む。
【請求項７】
請求項６に記載の表示方法であって、
前記第１チャットルームのうち、前記第２チャットルームに表示されたコンテンツと、前記第２チャットルームに表示されていないコンテンツとで異なる表示態様で表示することを含む。
【請求項８】
請求項６または請求項７に記載の表示方法であって、
前記第２チャットルームに表示されたコンテンツは、前記端末、または前記選択された少なくとも一人のユーザの端末による選択に基づいて、前記第１チャットルームに表示される。
【請求項９】
請求項１から請求項８のいずれか一項に記載の表示方法であって、
前記端末、または前記選択された少なくとも一人のユーザの端末による選択に基づいて、前記複数端末のうち、前記第２チャットルームに含まれない端末に前記第２チャットルームに表示されたコンテンツを送付することを含む。
【請求項１０】
請求項１から請求項９のいずれか一項に記載の表示方法であって、
前記第１チャットルームに表示されたコンテンツまたは、前記第２チャットルームに表示されたコンテンツを、ファイルに保存することを含む。
【請求項１１】
請求項１から請求項１０のいずれか一項に記載の表示方法であって、
前記第１チャットルームが終了した場合、前記第２チャットルームを終了させる制御を前記端末の制御部によって行うことを含む。
【請求項１２】
請求項１に記載の表示方法であって、
前記複数端末の各々のユーザは、少なくとも第１ユーザと第２ユーザとを含み、
前記選択された少なくとも一人のユーザは、前記第２ユーザであり、
前記第１チャットルームに表示されるコンテンツと、前記第２チャットルームに表示されるコンテンツとを表示する第３チャットルームを前記表示部に表示することを含み、
前記第３チャットルームは、前記第１ユーザの端末によって送信されたコンテンツと、前記第２ユーザの端末に送信されたコンテンツとを表示する。
【請求項１３】
請求項１２に記載の表示方法であって、
前記第３チャットルームに表示される、前記第１チャットルームに表示されたコンテンツと、前記第２チャットルームに表示されたコンテンツとを異なる表示態様で表示することを含む。
【請求項１４】
請求項１２または請求項１３に記載の表示方法であって、
前記第３チャットルームは、前記端末、前記第１ユーザの端末、または前記第２ユーザの端末による選択に基づいて、前記第１ユーザの端末によって送信されたコンテンツと、前記第２ユーザの端末に送信されたコンテンツとが表示される。
【請求項１５】
複数端末にコンテンツを送信し、前記複数端末の各々から送信されたコンテンツの受信を行う端末のコンピュータに実行させるプログラムであって、
前記複数端末に前記端末から送信されたコンテンツと、前記複数端末の各々から送信されたコンテンツとを表示する第１チャットルームを前記端末の表示部に表示することと、
前記第１チャットルームが前記表示部に表示されている状態で、前記複数端末の各々のユーザのうち、少なくとも一人のユーザを前記端末によって選択することと、
前記選択された少なくとも一人のユーザの端末に送信されたコンテンツと、前記選択された少なくとも一人のユーザの端末から送信されたコンテンツとを表示する第２チャットルームを前記端末の表示部に表示することとを含む。
【請求項１６】
複数端末にコンテンツを送信し、前記複数端末の各々から送信されたコンテンツの受信を行う端末であって、
前記複数端末に送信されたコンテンツと、前記複数端末の各々から送信されたコンテンツとを表示する第１チャットルームを表示する表示部と、
前記第１チャットルームが前記表示部に表示されている状態で、前記複数端末の各々のユーザのうち、少なくとも一人のユーザの選択を検出する制御部とを備え、
前記表示部は、前記選択された少なくとも一人のユーザの端末に前記端末から送信されたコンテンツと、前記選択された少なくとも一人のユーザの端末から送信されたコンテンツとを表示する第２チャットルームを表示する。
【手続補正２】
【補正対象書類名】明細書
【補正対象項目名】発明の名称
【補正方法】変更
【補正の内容】
【発明の名称】端末の表示方法、プログラム、及び端末
【手続補正３】
【補正対象書類名】明細書
【補正対象項目名】０００７
【補正方法】変更
【補正の内容】
【０００７】
本発明の第１の態様によると、複数端末にコンテンツを送信し、複数端末の各々から送信されたコンテンツの受信を行う端末の表示方法であって、複数端末に端末から送信されたコンテンツと、複数端末の各々から送信されたコンテンツとを表示する第１チャットルームを端末の表示部に表示することと、第１チャットルームが表示部に表示されている状態で、複数端末の各々のユーザのうち、少なくとも一人のユーザを端末によって選択することと、選択された少なくとも一人のユーザの端末に送信されたコンテンツと、選択された少なくとも一人のユーザの端末から送信されたコンテンツとを表示する第２チャットルームを端末の表示部に表示することとを含む。
【手続補正４】
【補正対象書類名】明細書
【補正対象項目名】０００８
【補正方法】変更
【補正の内容】
【０００８】
本発明の第２の態様によると、複数端末にコンテンツを送信し、複数端末の各々から送信されたコンテンツの受信を行う端末のコンピュータに実行させるプログラムであって、複数端末に端末から送信されたコンテンツと、複数端末の各々から送信されたコンテンツとを表示する第１チャットルームを端末の表示部に表示することと、第１チャットルームが表示部に表示されている状態で、複数端末の各々のユーザのうち、少なくとも一人のユーザを端末によって選択することと、選択された少なくとも一人のユーザの端末に送信されたコンテンツと、選択された少なくとも一人のユーザの端末から送信されたコンテンツとを表示する第２チャットルームを端末の表示部に表示することとを含む。
【手続補正５】
【補正対象書類名】明細書
【補正対象項目名】０００９
【補正方法】変更
【補正の内容】
【０００９】
本発明の第３の態様によると、複数端末にコンテンツを送信し、複数端末の各々から送信されたコンテンツの受信を行う端末であって、複数端末に送信されたコンテンツと、複数端末の各々から送信されたコンテンツとを表示する第１チャットルームを表示する表示部と、第１チャットルームが表示部に表示されている状態で、複数端末の各々のユーザのうち、少なくとも一人のユーザの選択を検出する制御部とを備え、表示部は、選択された少なくとも一人のユーザの端末に端末から送信されたコンテンツと、選択された少なくとも一人のユーザの端末から送信されたコンテンツとを表示する第２チャットルームを表示する。
【手続補正６】
【補正対象書類名】明細書
【補正対象項目名】００１０
【補正方法】削除
【補正の内容】